(57)【要約】【課題】  充電式インパクトドライバ工具本体が落下しないようにする。【解決手段】  充電式インパクトドライバ工具に、栓抜き状の金具を製作し尚、金具の中心部にリング状に形成させる。金具を充電式インパクトドライバ工具本体に取り付けできる金具と充電式インパクトドライバ工具本体部をワイヤリングで固定できる金具により、安全帯フックに掛けられる様にすることで、作業中に充電式インパクトドライバ工具本体が落下防止出来る充電式インパクトドライバ工具用取り付け金具とする。【選択図】図１
0003171907.tif 000002
【実用新案登録請求の範囲】
【請求項１】
プレス加工により栓抜き状に形成した本体枠１１、引掛け穴１８、接続部１２、及び回転式爪付金具１３からなり、引掛け穴１８は、作業員の安全帯フック３１に引掛けるために本体枠１１のリング状の内部は開口部、接続部１２は、本体枠１１に接続されたＵ字型に折り曲げられた金具で、折り曲げられた部分に、充電式インパクトドライバ工具５にネジで取り付けられるように２つの穴（１２１、１２２）を設け、回転式爪付金具１３は、先端部を爪付に形成し９０°に曲げて、回動可能とした回転式爪１３Ａを備え、充電式インパクトドライバ工具５に充電式インパクトドライバ工具用取り付け金具１を溝５１に上から差し込み、接続部１２の２つの穴（１２１、１２２）のどちらかの穴を選択して、充電式インパクトドライバ工具５に設けた穴に合わせて、ボルト２１で固定し、引掛け穴１８を作業員の安全帯フック３１に引掛けることにより、充電式インパクトドライバ工具の落下を防止できるようにしたことを特徴とする充電式インパクトドライバ工具用取り付け金具。
【請求項２】
本体枠１１の引掛け穴１８とは異なる先端部には、ワイヤリング通し穴１５を設け、ワイヤリング１６を通して、充電式インパクトドライバ工具５の握り部に巻きつけることにより、結合し、充電式インパクトドライバ工具の落下を防止できるようにしたことを特徴とする請求項１記載の充電式インパクトドライバ工具用取り付け金具。
【考案の詳細な説明】
【技術分野】
【０００１】この考案は充電式インパクトドライバ工具で高い場所、足場、電気工事での脚立、梯子、屋根の上で作業中に充電式インパクトドライバ工具を落下させないようにした充電式インパクトドライバ用取り付け金具に関する。
【背景技術】
【０００２】この種の充電式インパクトドライバ工具でスライドバッテリ−式には金具は取り付けてあるが、工具本体部にネジ１本で固定している為、ネジが緩みやすく、形状的に安全帯フックに掛けられにくいため、高い場所での作業中に充電式インパクトドライバ工具が落下する事故が多く発生している。
【先行技術文献】
【特許文献】
【０００３】
【特許文献１】  特開２００８−３０９２００公報
【考案の概要】
【考案が解決しようとする課題】
【０００４】１）充電式インパクトドライバ工具のスライドバッテリ−式で高所での作業中に、充電式    インパクトドライバ工具が落下しないようにする必要がある。
２）充電式インパクトドライバ工具に金具は取り付けてあるが、安全帯フックに掛けられ    ない為、片手で作業するか、近い場所に置いて作業することにより、作業中に充電式    インパクトドライバ工具を落下する事が良くあり、落下を防止する必要がある。
【課題を解決するための手段】
【０００５】プレス加工により栓抜き状に形成した本体枠１１、引掛け穴１８、接続部１２、及び回転式爪付金具１３からなり、引掛け穴１８は、作業員の安全帯フック３１に引掛けるために本体枠１１のリング状の内部は開口部、接続部１２は、本体枠１１に接続されたＵ字型に折り曲げられた金具で、折り曲げられた部分に、充電式インパクトドライバ工具５にネジで取り付けられるように２つの穴（１２１、１２２）を設け、回転式爪付金具１３は、先端部を爪付に形成し９０°に曲げて、回動可能とした回転式爪１３Ａを備え、充電式インパクトドライバ工具５に充電式インパクトドライバ工具用取り付け金具１を溝５１に上から差し込み、接続部１２の２つの穴（１２１、１２２）のどちらかの穴を選択して、充電式インパクトドライバ工具５に設けた穴に合わせて、ボルト２１で固定し、引掛け穴１８を作業員の安全帯フック３１に引掛けることにより、充電式インパクトドライバ工具の落下を防止できるようにしたことを特徴とする充電式インパクトドライバ工具用取り付け金具【０００６】本体枠１１の引掛け穴１８とは異なる先端部には、ワイヤリング通し穴１５を設け、ワイヤリング１６を通して、充電式インパクトドライバ工具５の握り部に巻きつけることにより、結合し、充電式インパクトドライバ工具の落下を防止できるようにしたことを特徴とする請求項１記載の充電式インパクトドライバ工具用取り付け金具。
【考案の効果】
【０００７】充電式インパクトドライバ工具とインパクトハンガ−金具をワイヤリングで固定する事で充電式インパクトドライバ工具本体が落下する危険性がなくなり、安全に仕事ができるようになる。
【図面の簡単な説明】
【０００８】
【図１】本考案の充電式インパクトドライバ用取り付け金具の構成  （ａ）平面図  （ｂ）側面図
【図２】本考案の充電式インパクトドライバ用取り付け金具の充電式インパクトドライバ工具への取り付け図
【考案を実施するための形態】
【０００９】図１は  本考案の充電式インパクトドライバ工具用取り付け金具の構成で、（ａ）は平面図、（ｂ）は側面図である。
充電式インパクトドライバ工具用取り付け金具１は、本体枠１１、接続部１２、回転式爪付金具１３、回転式爪１３Ａ、リベットカシメ穴１４、ワイヤリング通し穴１５、ワイヤリング１６、リベット１７、引掛け穴１８、ボルト２１からなる。
本体枠１１は、ステンレス板材を用いて、プレス加工により栓抜き状に形成し作業者の安全帯フック３１に引掛けるための引掛け穴１８と、充電式インパクトドライバ工具５に接続するための接続部１２と、充電式インパクトドライバ工具の溝５１に嵌め込むための回転式爪付金具１３からなる。引掛け穴１８は、リング状で内部は開口部。
接続部１２は、本体枠１１に接続されたＵ字型に折り曲げられた金具で、折り曲げた部分に、充電式インパクトドライバ工具５にネジで取り付けるために接続部１２の２つの穴（１２１、１２２）を備えている。この２つの穴のどちらかを選択してボルト２１で取り付ける。回転式爪付金具１３は、充電式インパクトドライバ工具の溝５１に嵌め込むための金具で、先端部を爪付に形成し９０°に曲げた回転式爪１３Ａを備え、リベットカシメ穴１４に対して回動可能とした。緩み止め防止の薬品を塗布したボルト２１で２つの穴（１２１、１２２）のうち、どちらかを選択して充電式インパクトドライバ工具５の穴に取り付けることで、角度調整ができる。本体枠１１の引掛け穴１８とは異なる先端部には、ワイヤリング通し穴１５を設け、ワイヤリング１６を通して、充電式インパクトドライバ工具５の握り部に巻きつけることにより結合する。
【００１０】図２は、本考案の充電式インパクトドライバ用取り付け金具の充電式インパクトドライバ工具への取り付け図を示す。充電式インパクトドライバ工具５に、充電式インパクトドライバ工具用取り付け金具１を充電式インパクトドライバ工具の溝５１に、上から回転式爪付金具１３の先端部回転式爪１３Ａを差し込み、充電式インパクトドライバ工具５に設けた穴（図示せず）と、接続部１２の２つの穴（１２１、１２２）のどちらかの穴の位置を合わせて、ボルト２１で固定する。また、充電式インパクトドライバ工具用取り付け金具１のワイヤリング通し穴１５にワイヤリング１６を通し、充電式インパクトドライバ工具５の握り部に巻きつける。
図２の右下に、ベルトに通した安全帯フック３１を示している。引掛け穴１８を安全帯フック３１に引掛け落下しないようにする。
【産業上の利用可能性】
【００１１】本考案のインパクト用取り付け金具により、高所での足場作業、脚立作業、電気工事の脚立作業や梯子の上や屋根の上などの作業で安全帯フックに掛けられ、両手で作業ができ、充電式インパクトドライバ工具とインパクト用取り付け金具をワイヤリングで固定する事で充電インパクトドライバ工具本体を落下する危険性も無く安全に仕事ができるようになった。
【符号の説明】
【００１２】１  充電式インパクトドライバ工具用取り付け金具
１１  本体枠
１２  接続部
１２１  穴
１２２  穴
１３  回転式爪付金具
１３Ａ  回転式爪
１４  リベットカシメ穴
１５  ワイヤリング通し穴
１６  ワイヤリング
１７  リベット
１８  引掛け穴
２１  ボルト
３  安全帯
３１  安全帯フック
５  充電式インパクトドライバ工具
５１  充電式インパクトドライバ工具の溝
５１１  スライド式バッテリー
【図１】
0003171907.tif 000003
【図２】
0003171907.tif 000004